(57)【要約】      （修正有）【課題】パイプ部材を壁面等の取付面に支持するためのパイプ支持用ブラケット装置を提供する。【解決手段】パイプ部材３を挿入した状態で支持するブラケット部材７と、該ブラケット部材に被冠されるカバー部材８とから成り、前記ブラケット部材７は、取付面に取着されるベース部９と、相互にパイプ部材３の軸方向に間隔をあけて前記ベース部９から突出する一対のアーム部１０ａ，１０ｂを備え、少なくとも一方のアーム部１０ａに前記パイプ部材を挿入保持する保持孔１１を開設し、前記カバー部材８は、前記一対のアーム部の間に挿入されたパイプ部材の挿入部に外嵌される頭部１３と、該頭部の両端から前記ベース部に向けて延びる一対の脚部１４，１３を備え、前記脚部１４，１４の先端と前記ベース部９の相互に係脱自在な係着手段１５を設けている。【選択図】図２
0003193147.tif 000002
【実用新案登録請求の範囲】
【請求項１】
パイプ部材(3)を挿入した状態で支持するブラケット部材(7)と、該ブラケット部材に被冠されるカバー部材(8)とから成り、
前記ブラケット部材(7)は、取付面(4)に取着されるベース部(9)と、相互にパイプ部材(3)の軸方向に間隔をあけて前記ベース部(9)から突出する一対のアーム部(10a,10b)を備え、少なくとも一方のアーム部(10a)に前記パイプ部材を挿入保持する保持孔(11)を開設し、
前記カバー部材(8)は、前記一対のアーム部の間に挿入されたパイプ部材の挿入部(3a)に外嵌される頭部(13)と、該頭部の両端から前記ベース部に向けて延びる一対の脚部(14,13)を備え、
前記脚部(14,14)の先端と前記ベース部(9)の相互に係脱自在な係着手段(15)を設けて成ることを特徴とするパイプ支持用ブラケット装置。
【請求項２】
前記パイプ部材(3)は、断面円形とされた円管により構成され、
前記カバー部材(8)は、弾性変形可能な弾性材により形成され、前記挿入部(3a)の周面を抱持する円弧状部(13a)により前記頭部(13)を構成すると共に、一対のアーム部の間の空間を上下から施蓋する一対の板状部(14a,14a)により前記脚部(14,14)を構成し、一対の板状部(14a,14a)を前記頭部(13)から前記ベース部(9)に向けて次第に拡がるように形成しており、
前記係着手段(15)は、前記脚部(14,14)の先端に設けた爪片(15a)と、前記ベース部(9)に設けた係止孔(15b)により構成され、前記脚部(14,14)の弾性変形を介して前記爪片(15a)を係止孔(15b)に弾接状態で係着させるように構成して成ることを特徴とする請求項１に記載のパイプ支持用ブラケット装置。
【請求項３】
前記ブラケット部材(7)の一対のアーム部(10a,10b)は、一方のアーム部(10a)に前記保持孔(11)を開設すると共に、他方のアーム部(10b)に前記保持孔に対面する受壁(12)を形成しており、
前記パイプ部材(3)を前記保持孔(11)に挿入したとき、該パイプ部材(3)の挿入端を前記受壁(12)に当接させるように構成して成ることを特徴とする請求項１又は２に記載のパイプ支持用ブラケット装置。
【考案の詳細な説明】
【技術分野】
【０００１】
本考案は、パイプ部材を壁面等の取付面に支持するためのパイプ支持用ブラケット装置に関する。
【背景技術】
【０００２】
例えば、住宅において、屋根裏部屋等に昇降するための梯子を吊持する吊持用パイプ部材が壁面に取付けられている。また、タオル等の物品を吊下げるためのハンガー用パイプ部材や、階段の手摺を形成するための手摺用パイプ部材や、その他、種々のパイプ部材が壁面に取付けられている。
【０００３】
このようなパイプ部材は、壁面に取着されたブラケット装置により支持され、従来から種々のブラケット装置が提供されている。
【先行技術文献】
【特許文献】
【０００４】
【特許文献１】特開２０１０−２７０５１９号公報
【特許文献１】特開平１０−５１１２号公報
【考案の概要】
【考案が解決しようとする課題】
【０００５】
従来のパイプ支持用ブラケット装置は、通常、鋳物製のブラケット部材により構成されており、壁面等の取付面に取着されるフランジ状の座部と、該座部から突出するアーム部と、該アーム部の先端に位置してパイプ材を連結固定する連結部を備えている。
【０００６】
しかしながら、鋳物製のブラケット部材は、比較的コスト高であり、安価に提供することが困難である。
【０００７】
また、前記ブラケット部材の連結部に対してパイプ部材を連結固定する方法は、ビスによる連結固定や、その他の種々の手段が提案されているが、少なくとも連結固定のためのビス止め等の作業工程が必要であり、作業時間の短縮化を妨げている。
【０００８】
更に、前記ブラケット部材の座部を取付面に対して木ネジにより固着した状態で、該木ネジの頭部が露出している場合、美的外観の点においても好ましくない。
【課題を解決するための手段】
【０００９】
本考案は、上記課題を解決したパイプ支持用ブラケット装置を提供するものであり、その手段として構成したところは、パイプ部材を挿入した状態で支持するブラケット部材と、該ブラケット部材に被冠されるカバー部材とから成り、前記ブラケット部材は、取付面に取着されるベース部と、相互にパイプ部材の軸方向に間隔をあけて前記ベース部から突出する一対のアーム部を備え、少なくとも一方のアーム部に前記パイプ部材を挿入保持する保持孔を開設し、前記カバー部材は、前記一対のアーム部の間に挿入されたパイプ部材の挿入部に外嵌される頭部と、該頭部の両端から前記ベース部に向けて延びる一対の脚部を備え、前記脚部の先端と前記ベース部の相互に係脱自在な係着手段を設けて成る点にある。
【００１０】
本考案の好ましい実施形態において、前記カバー部材は、弾性変形可能な弾性材により形成され、前記挿入部の周面を抱持する円弧状部により前記頭部を構成すると共に、一対のアーム部の間の空間を上下から施蓋する一対の板状部により前記脚部を構成し、一対の板状部を前記頭部から前記ベース部に向けて次第に拡がるように形成しており、前記係着手段は、前記脚部の先端に設けた爪片と、前記ベース部に設けた係止孔により構成され、前記脚部の弾性変形を介して前記爪片を係止孔に弾接状態で係着させるように構成している。
【考案の効果】
【００１１】
請求項１に記載の本考案によれば、ブラケット部材７とカバー部材８から成る簡単な構成により、パイプ支持用ブラケット装置を安価に提供することが可能である。特に、ブラケット部材７は、パイプ部材３を保持孔１１に挿入保持する構成としており、該パイプ部材３のビス止め等を必要としないから、作業効率が良く、しかも、挿入保持されたパイプ部材３の挿入部３ａは、カバー部材８の頭部１３により好適に被覆され、更に、ブラケット部材７の一対のアーム部１０ａ、１０ｂの間の空間は、前記頭部１３から延びるカバー部材８の脚部１４、１４に上下から施蓋されるので、ブラケット装置５の全体的美観を良好に保持することができる。
【００１２】
請求項２に記載の本考案によれば、カバー部材８の装着に際して、脚部１４、１４をベース部９に向けてアーム部１０ａ、１０ｂの間に挿入すると、頭部１３が前記挿入部３ａに外嵌され、該挿入部３ａの周面を抱持することにより、カバー部材８の仮止め状態を可能にするので、その後、脚部１４の爪片１５ａをベース部９の係止孔１５ｂに係止させる作業が容易となる。そして、係着手段１５を構成する爪片１５ａと係止孔１５ｂは、脚部１４の弾発力を受ける爪片１５ａを係止孔１５ｂに弾接状態で係着させる構成であるから、外力を受けた場合でも、カバー部材８が簡単に脱落することはない。
【００１３】
請求項３に記載の本考案によれば、
パイプ部材３の両端部を左右のブラケット部材７Ｌ、７Ｒの一方のアーム部１０ａの保持孔１１に挿入した状態で、該パイプ部材３の挿入端を他方のアーム部１０ｂの受壁１２に当接させるように構成しているので、パイプ部材３を軸方向にガタツキのない状態で架設することができる。
【図面の簡単な説明】
【００１４】
【図１】本考案のブラケット装置により支持されるパイプ部材の用途に関して、屋根裏部屋等に昇降するための梯子を吊持する吊持用パイプ部材を例示しており、（Ａ）はブラケット装置によりパイプ部材を支持した状態を示す斜視図、（Ｂ）はパイプ部材に梯子を起立保持させた状態を示す側面図、（Ｃ）はパイプ部材に梯子を傾斜支持させた状態を示す側面図である。
【図２】本考案の１実施形態を示しており、（Ａ）は分解状態を示す斜視図、（Ｂ）はブラケット部材とカバー部材を拡大して示す斜視図である。
【図３】ブラケット装置の使用方法を示しており、（Ａ）はカバー部材を取付ける前の状態を示す斜視図、（Ｂ）はカバー部材を取付けた後の状態を示す斜視図である。
【図４】パイプ部材とブラケット部材とカバー部材の関係を示す断面図である。
【図５】ブラケット部材にカバー部材を取付けた状態を示しており、（Ａ）は全体を示す断面図、（Ｂ）は部分拡大を示す断面図である。
【図６】本考案のブラケット装置に関して、別の実施形態を組合わせた使用例を示す斜視図である。
【考案を実施するための形態】
【００１５】
以下図面に基づいて本考案の好ましい実施形態を詳述する。
【００１６】
図１は、本考案のブラケット装置により支持されるパイプ部材の用途に関して、ロフトと称される屋根裏部屋１に昇降するための梯子２を吊持する吊持用パイプ部材３を例示しており、図１（Ａ）に示すように、屋根裏部屋１に臨む壁面により構成された取付面４に対して、水平方向に配置されたパイプ部材３の両端がブラケット装置５、５により支持されている。
【００１７】
前記梯子２は、上部領域の上下に間隔をあけて上部フック６ａと下部フック６ｂを設けており、両フック６ａ、６ｂを選択的に前記パイプ部材３に吊持するように構成している。
【００１８】
梯子２は、不使用時、つまり屋根裏部屋１に昇降を要しないときは、図１（Ｂ）に示すように、梯子２の下端部を宙吊り状態として、下部フック６ｂをパイプ部材３に吊持させ、起立姿勢とされる。梯子２の使用時、つまり屋根裏部屋１に昇降するときは、図１（Ｃ）に示すように、梯子２の下端部を床面に接地した状態として、上部フック６ａをパイプ部材３に吊持させ、傾斜姿勢とされる。
【００１９】
尚、本考案のブラケット装置５が対象とするパイプ部材３は、図１に示すような梯子の吊持用パイプ部材に限られるものでなく、ハンガー用パイプ部材や、手摺用パイプ部材や、その他のパイプ部材を含み、用途により限定されないことは勿論である。
【００２０】
図２に示すように、図示実施形態の場合、パイプ部材３は、断面円形とされた円管により構成されている。
【００２１】
ブラケット装置５は、前記パイプ部材３を挿入した状態で支持するブラケット部材７と、該ブラケット部材７に被冠されるカバー部材８により構成されている。
【００２２】
前記ブラケット部材７は、断面コ字形の板状に形成され、上述した壁面等の取付面４に取着されるベース部９と、相互にパイプ部材３の軸方向に間隔をあけて前記ベース部９から突出する一対のアーム部１０ａ、１０ｂを備え、少なくとも一方のアーム部１０ａに前記パイプ部材３を挿入保持する保持孔１１を開設している。図示実施形態の場合、他方のアーム部１０ｂは、前記保持孔１１のような孔を開設しておらず、前記アーム部１０ａの保持孔１１に対面する受壁１２を形成している。尚、前記ベース部９にはビス孔９ａが設けられている。
【００２３】
前記カバー部材８は、前記アーム部１０ａ、１０ｂの間に嵌入される弾性変形可能な弾性材により形成され、図示実施形態の場合、鋼板を屈曲形成して成る板バネにより構成されており、前記保持孔１１の周縁に沿う円弧状部１３ａにより構成された頭部１３と、該頭部１３の円弧両端から前記ベース部９に向けて次第に拡がるように傾斜して延びる一対の板状部１４ａ、１４ａにより構成された脚部１４、１４を備えており、該脚部１４、１４の先端と前記ベース部９の相互に係脱自在な係着手段１５を設けている。図示実施形態の場合、前記係着手段１５は、前記脚部１４、１４の先端に設けた爪片１５ａと、前記ベース部９に設けた係止孔１５ｂにより構成されている。
【００２４】
図示実施形態において、前記ブラケット部材７は、図２（Ａ）に示すように、同一部品とされた２個のブラケット部材７を相互に姿勢を反転させた状態でパイプ部材３の両端部に配置したとき、相互に保持孔１１を備えたアーム部１０ａ、１０ａを対向させた対称姿勢として使用される。このため、アーム部１０ａ、１０ｂの輪郭形状や、ベース部９に設け係止孔１５ｂ、１５ｂの配置は、反転可能な対称形に構成されている。
【００２５】
同様に、前記カバー部材８も、姿勢を反転可能とするように、輪郭形状や、爪片１５ａの配置を対称形に形成しており、常に、前記２個のブラケット部材７、７の何れに対しても装着可能となるように構成されている。
【００２６】
上記実施形態に基づいて、ブラケット部材７とカバー部材８を１組とするブラケット装置５の２組によりパイプ部材３の両端部を支持するためには、図３（Ａ）に示すように、相互に姿勢を反転させた左右のブラケット部材７Ｌ、７Ｒのベース部９をビス１６により取付面４に固着すると共に、両ブラケット部材７Ｌ、７Ｒの保持孔１１にパイプ部材３の両端を挿入保持させることにより、両ブラケット部材７Ｌ、７Ｒにパイプ部材３を架設する。
【００２７】
具体的には、一方のブラケット部材７Ｌ（７Ｒ）を取付面４の所定位置に固着し、該ブラケット部材７Ｌ（Ｒ）のアーム部１０ａの保持孔１１にパイプ部材３の一方の端部を挿入し、該パイプ部材３の挿入端をアーム部１０ｂの受壁１２に当接させる。その状態で、パイプ部材３の他方の端部に他方のブラケット部材７Ｒ（７Ｌ）の保持孔１１を外挿させ、該パイプ部材３の端部をアーム部１０ｂの受壁１２に当接させた状態で、該ブラケット部材７Ｒ（７Ｌ）を取付面４に固着する。
【００２８】
これにより、パイプ部材３は、両端部を左右のブラケット部材７Ｌ、７Ｒの受壁１２に当接し、軸方向にガタツキのない状態で架設され、各ブラケット部材７Ｌ、７Ｒのアーム部１０ａ、１０ｂの間に位置してパイプ部材３の挿入部３ａを露出する。
【００２９】
そこで、図３（Ｂ）に示すように、前記ブラケット部材７Ｌ、７Ｒのそれぞれのアーム部１０ａ、１０ｂの間にカバー部材８を嵌入することにより、作業が完了する。
【００３０】
図４に示すように、カバー部材８の頭部１３を構成する円弧状部１３ａの半径Ｒ１は、パイプ部材３の半径Ｒ２にほぼ等しく形成され（従って僅かにＲ２よりも大きい場合と小さい場合を含む）、パイプ部材３の外周を１８０度よりも広い領域で抱持するように形成されている。従って、円弧状部１３ａの両端の間隔Ｓは、円弧状部１３ａの直径（Ｒ１×２）よりも小さい。
【００３１】
そして、前記間隔Ｓにより規定された円弧状部１３ａの両端から脚部１４、１４を構成する板状部１４ａ、１４ａが次第に間隔を拡げながら延長され、延長端に設けられた爪片１５ａ、１５ａの間に間隔距離Ｌ１を形成する。この間隔距離Ｌ１は、ブラケット部材７のベース部９に設けられた係止孔１５ｂ、１５ｂの間隔距離Ｌ２よりも大きい、つまり、Ｌ１＞Ｌ２となるように構成されている。
【００３２】
従って、カバー部材８の脚部１４、１４をベース部９に向けてアーム部１０ａ、１０ｂの間に挿入すると、パイプ部材３の挿入部３ａが前記円弧状部１３ａの両端の間隔Ｓを押し広げつつ該円弧状部１３ａを弾性変形させ、嵌入される。これにより、カバー部材８は、頭部１３が前記挿入部３ａに外嵌され、該挿入部３ａの周面を抱持するので、仮止め状態とされる。
【００３３】
引き続き、図５に示すように、脚部１４、１４の弾性変形を介して、爪片１５ａを係止孔１５ｂに係止させることにより、カバー部材８の装着が完了し、作業が終了する。この状態で、爪片１５ａは、図５（Ｂ）に矢印Ｐで示すように、脚部１４の弾発力を受けることにより、係止孔１５ｂに弾接状態で係着されており、従って、外力を受けた場合でも、カバー部材８が簡単に脱落することはない。
【００３４】
装着されたカバー部材８は、パイプ部材３の挿入部３ａを被覆する頭部１３から延びる脚部１４、１４により、ブラケット部材７の一対のアーム部１０ａ、１０ｂの間の空間を上下から施蓋するので、ブラケット装置５の全体的美観を良好に保持する。
【００３５】
図６は、上述の実施形態のブラケット装置５と、別の実施形態のブラケット装置５ａを組み合わせた場合の使用例を示している。図示のように、例えば、パイプ部材３が手摺等の長尺物を構成する場合、パイプ部材３の両端部を上述の実施形態のブラケット装置５により支持することに加えて、中間部を別の実施形態としたブラケット装置５ａにより支持することが好ましい。
【００３６】
この中間部を支持するブラケット装置５ａは、一対のアーム部１０ａ、１０ｂの両者に保持孔１１、１１を開設し、パイプ部材３を保持孔１１、１１に挿通させるように構成されている。その他の構成は、上述したブラケット装置５と同様である。
【００３７】
従って、パイプ部材３の中間部を支持するブラケット装置５ａは、上述したブラケット装置５のアーム部１０ｂに保持孔１１を追加するだけで、簡単容易に製造することができるという利点がある。
【符号の説明】
【００３８】
３  パイプ部材
３ａ  挿入部
４  取付面
５、５ａ  ブラケット装置
７  ブラケット部材
８  カバー部材
９  ベース部
９ａ  ビス孔
１０ａ、１０ｂ  アーム部
１１  保持孔
１２  受壁
１３  頭部
１３ａ  円弧状部
１４  脚部
１４ａ  板状部
１５  係着手段
１５ａ  爪片
１５ｂ  係止孔
１６  ビス
【図１】
0003193147.tif 000003
【図２】
0003193147.tif 000004
【図３】
0003193147.tif 000005
【図４】
0003193147.tif 000006
【図５】
0003193147.tif 000007
【図６】
0003193147.tif 000008